(57)【要約】【課題】本発明は、極めて商品価値の高い画期的な手動式除雪具を提供することを目的とする。【解決手段】雪掬い部１と、この雪掬い部１の基端部に起き上がり状態で突設され該雪掬い部１を雪上で滑動せしめる操作部２とからなる手動式除雪具であって、前記雪掬い部１に対する前記操作部２の起き上がり角度を可変し得る角度可変機構Ｋが設けられているものである。【選択図】図１
2008184786.tif 000002
【特許請求の範囲】
【請求項１】
雪掬い部と、この雪掬い部の基端部に起き上がり状態で突設され該雪掬い部を雪上で滑動せしめる操作部とからなる手動式除雪具であって、前記雪掬い部に対する前記操作部の起き上がり角度を可変し得る角度可変機構が設けられていることを特徴とする手動式除雪具。
【請求項２】
請求項１記載の手動式除雪具において、前記操作部は、前記雪掬い部に枢着されており、この枢着部には前記操作部の前記雪掬い部に対する起き上がり角度を多段階に可変する前記角度可変機構が設けられていることを特徴とする手動式除雪具。
【請求項３】
請求項１，２いずれか１項に記載の手動式除雪具において、前記操作部は、横部材の左右両端部に縦部材を連設したコ字状の枠体であることを特徴とする手動式除雪具。
【請求項４】
請求項１〜３いずれか１項に記載の手動式除雪具において、前記角度可変機構には、前記操作部の前記雪掬い部に対する起き上がり角度を所定の角度に固定する固定機構が設けられていることを特徴とする手動式除雪具。
【請求項５】
請求項４記載の手動式除雪具において、前記固定機構は、一端部が前記操作部に設けられ、他端部が前記雪掬い部に設けられた架設体で構成されていることを特徴とする手動式除雪具。
【請求項６】
請求項５記載の手動式除雪具において、前記架設体のいずれか一方の端部は前記操作部若しくは前記雪掬い部と着脱ピンにより連設され、前記架設体にはこの着脱ピンが係止されて前記操作部の前記雪掬い部に対する起き上がり角度を固定する係止部が複数並設されていることを特徴とする手動式除雪具。
【請求項７】
請求項６記載の手動式除雪具において、前記架設体には、前記着脱ピンがガイドされて移動し、前記操作部が前記雪掬い部に重合するまで起き上がり擺動することを許容する長窓が設けられていることを特徴とする手動式除雪具。
【発明の詳細な説明】
【技術分野】
【０００１】
本発明は、手動式除雪具に関するものである。
【背景技術】
【０００２】
従来から、雪掬い部と、この雪掬い部の基端部に起き上がり状態で突設され該雪掬い部を雪上で滑動せしめる操作部とから成る、例えば特開平１１−１９００３９号に開示された手動式除雪具（以下、従来例という。）が提案されており、この従来例は、シャベルなどに比べて一度に多量の雪を掬い入れて運搬・排雪することができ、非常に便利である。
【０００３】
【特許文献１】特開平１１−１９００３９号公報
【発明の開示】
【発明が解決しようとする課題】
【０００４】
ところで、従来例は、操作部を押して雪掬い部を雪上で滑動せしめる際、操作部を使用者の腹部に当てた状態が最も力強く押し込むことができ、且つ、安定した良好な押し込み操作が行えることになる。特に、雪掬い部の先端を硬い雪に突き刺し、梃子の原理で該先端を上方に起き上がらせる際には、この操作部の高さ位置は重要である。
【０００５】
また、従来例は、雪掬い部で掬った雪を運搬するに際し、雪掬い部の先端部を少し浮かせた状態とするが、この状態とした場合の操作部の高さ位置も作業性に影響する。
【０００６】
従って、操作部の高さ位置が使用者に合わないと極めて使いにくく、疲労してしまう。
【０００７】
具体的には、従来例を想定した使用者よりも低い身長の使用者が使用すると、操作部が腹部の上方に当たり、そこで、腹部に当てると、雪掬い部は後方に傾斜する状態となってしまう。一方、想定した使用者よりも高い身長の使用者が使用すると、操作部が腹部の下方に当たり、そこで、腹部に当てると、雪掬い部は前方に傾斜する状態となってしまい、いずれの場合も良好な作業が行いにくいという問題が生じる。
【０００８】
従って、実際には、従来例が使用者の身長に合わない場合には、使用者は腰や膝や背筋を曲げて低い姿勢（反対に腰や膝や背筋を伸ばして高い姿勢）をとるなどして操作部を腹部に当てて押し込み操作するようにしたり、或いは、操作部を握るだけで押し込み操作するようにしているのが現状であり、よって、楽な姿勢で作業が行えない為、疲労し易く長時間の作業は困難であり、しかも、無理な姿勢をとるため関節や筋肉を傷めてしまうという問題がある。
【０００９】
勿論、使用者の身長に合わせるべく、種々の大きさのものを複数用意しても良いが、量産性及びコストの問題から現実的でない。
【００１０】
本発明は、上述の問題点に着目し、種々の実験・研究を繰り返し行った結果、従来にない作用効果を発揮する画期的な手動式除雪具を開発した。
【課題を解決するための手段】
【００１１】
添付図面を参照して本発明の要旨を説明する。
【００１２】
雪掬い部１と、この雪掬い部１の基端部に起き上がり状態で突設され該雪掬い部１を雪上で滑動せしめる操作部２とからなる手動式除雪具であって、前記雪掬い部１に対する前記操作部２の起き上がり角度を可変し得る角度可変機構Ｋが設けられていることを特徴とする手動式除雪具に係るものである。
【００１３】
また、請求項１記載の手動式除雪具において、前記操作部２は、前記雪掬い部１に枢着されており、この枢着部６には前記操作部２の前記雪掬い部１に対する起き上がり角度を多段階に可変する前記角度可変機構Ｋが設けられていることを特徴とする手動式除雪具に係るものである。
【００１４】
また、請求項１，２いずれか１項に記載の手動式除雪具において、前記操作部２は、横部材２Ａの左右両端部に縦部材２Ｂ，２Ｃを連設したコ字状の枠体であることを特徴とする手動式除雪具に係るものである。
【００１５】
また、請求項１〜３いずれか１項に記載の手動式除雪具において、前記角度可変機構Ｋには、前記操作部２の前記雪掬い部１に対する起き上がり角度を所定の角度に固定する固定機構７が設けられていることを特徴とする手動式除雪具に係るものである。
【００１６】
また、請求項４記載の手動式除雪具において、前記固定機構７は、一端部が前記操作部２に設けられ、他端部が前記雪掬い部１に設けられた架設体15で構成されていることを特徴とする手動式除雪具に係るものである。
【００１７】
また、請求項５記載の手動式除雪具において、前記架設体15のいずれか一方の端部は前記操作部２若しくは前記雪掬い部１と着脱ピン９により連設され、前記架設体15にはこの着脱ピン９が係止されて前記操作部２の前記雪掬い部１に対する起き上がり角度を固定する係止部10が複数並設されていることを特徴とする手動式除雪具に係るものである。
【００１８】
また、請求項６記載の手動式除雪具において、前記架設体15には、前記着脱ピン９がガイドされて移動し、前記操作部２が前記雪掬い部１に重合するまで起き上がり擺動することを許容する長窓８が設けられていることを特徴とする手動式除雪具に係るものである。
【発明の効果】
【００１９】
本発明は上述のように構成したから、前述した従来例と異なり、使用者は常に楽な姿勢で作業が行えることになり、使用者の負担が少なく極めて作業性に秀れるなど従来にない作用効果を発揮する画期的な手動式除雪具となる。
【発明を実施するための最良の形態】
【００２０】
好適と考える本考案の実施形態を、図面に基づいて本考案の作用を示して簡単に説明する。
【００２１】
本発明は、角度可変機構Ｋにより雪掬い部１に対する操作部２の起き上がり角度を適宜可変し、使用者の身長に合わせて操作部２の高さを調整する。
【００２２】
従って、前述した従来例と異なり、使用者は常に楽な姿勢（例えば押し込み操作し易い姿勢で操作部２を腹部に当てた安定した状態）で作業が行えることになり、使用者の負担が少なく極めて作業性に秀れることになるなど、一台で様々な使用者の身長に合った作業し易い状態が確実に得られることになる。
【００２３】
また、本発明は、前述した使用者の身体に合わせた角度調節の他、作業場所に合わせた角度調節も行えることになる。即ち、例えば傾斜する屋根上での作業などのように、地面上の除雪と異なり、雪掬い部１に対する操作部２の起き上がり角度が大きい方が作業し易い場面もあり、この点、本発明は、雪掬い部１に対する操作部２の起き上がり角度を可変し得る角度可変機構Ｋを具備する為、作業場所に合った作業し易い状態が確実に得られることになる。
【００２４】
また、請求項２記載の発明においては、操作部２は、雪掬い部１に枢着されており、この枢着部６には操作部２の雪掬い部１に対する起き上がり角度を多段階に可変する角度可変機構Ｋが設けられているから、この角度可変機構Ｋにより様々な高さ位置の操作部２が簡易且つ確実に得られることになる。
【００２５】
また、請求項４記載の発明においては、角度可変機構Ｋには、操作部２の雪掬い部１に対する起き上がり角度を所定の角度に固定する固定機構７が設けられているから、確実に任意の起き上がり角度を維持することができる。
【００２６】
また、請求項６記載の発明においては、架設体15のいずれか一方の端部は操作部２若しくは雪掬い部１と着脱ピン９により連設され、架設体15にはこの着脱ピン９が係止されて操作部２の雪掬い部１に対する起き上がり角度を固定する係止部10が複数並設されているから、作業中に不意に操作部２と雪掬い部１との所定の起き上がり角度が崩れたりすることはなく、作業性良好にして安全なものとなる。
【００２７】
また、請求項７記載の発明においては、架設体15には、着脱ピン９がガイドされて移動し、操作部２が雪掬い部１に重合するまで起き上がり擺動することを許容する長窓８が設けられているから、操作部２を雪掬い部１に適宜重合させてコンパクトにすることができ収納時や搬送時などに非常に便利である。
【実施例】
【００２８】
本発明の具体的な実施例について図面に基づいて説明する。
【００２９】
本実施例は、雪掬い部１と、この雪掬い部１の基端部に起き上がり状態で突設され該雪掬い部１を雪上で滑動せしめる操作部２とからなる手動式除雪具Ｄである。
【００３０】
具体的には、雪掬い部１は、図１に図示したように適宜な合成樹脂製の部材で形成したバケット体であり、先端部には金属板が付設されて雪刺入部11が形成されている。
【００３１】
また、雪掬い部１は、左右側端部１ａ，１ｂ及び基端部１ｃが湾曲板状に形成されており、この左右側端部１ａ，１ｂは金属パイプ製の補強縦体12の上部に被嵌するように構成され、基端部１ｃは金属パイプ製の補強横体（図示省略）の上部に被嵌するように構成されている。
【００３２】
この雪掬い部１の左右側端部１ａ，１ｂにより被嵌される補強縦体12は、螺着体13を介して左右側端部１ａ，１ｂに螺着される。
【００３３】
従って、雪掬い部１の左右側端部１ａ，１ｂは補強縦体12により補強される。
【００３４】
また、補強縦体12の基端部には、後述する操作部２に係る縦部材２Ｂ，２Ｃに連結するための連結部材14が設けられている。
【００３５】
また、補強縦体12の基端部同士の間には補強横体が架設されており、この補強横体は雪掬い部１の基端部１ｃを被嵌した状態で螺着体13を介して補強縦体12に螺着される。
【００３６】
従って、雪掬い部１の基端部１ｃは補強横体により補強されることになり、また、補強横体は除雪作業時に雪掬い部１を雪へ刺入する際などに足で蹴り込む部位として機能する。
【００３７】
操作部２は、図１に図示したように適宜な金属製の断面円形パイプを正面視コ字状に折曲形成した枠体であり、横部材２Ａと、この横部材２Ａの左右両端部に連設される縦部材２Ｂ，２Ｃとで構成されている。
【００３８】
この横部材２Ａと縦部材２Ｂ，２Ｃとの左右の連設角部には、グリップ材３ａが被嵌され径大のグリップ部３が設けられている。このグリップ材３ａは、適宜な合成樹脂製の部材（ウレタン樹脂）を筒状に形成したものであり、枠体に被嵌した際、横部材２Ａと縦部材２Ｂ，２Ｂとの連設角部まで被嵌される長さに設定されている。
【００３９】
本実施例では、グリップ部３を設ける位置として、横部材２Ａの中央部分には設けず、横部材２Ａと縦部材２Ｂ，２Ｃとの左右の連設角部にのみ設けている。
【００４０】
これは、この種の製品において特に力作業を行う際に握る部分（横部材２Ａの左右両端部は勿論、左右の縦部材２Ａ，２Ｂの基端部）にはグリップ部３が設けられることを前提とし、グリップ材３ａは短いと、製造時に縦部材２Ａ，２Ｂの先端部から被嵌させて移動させる作業が行い易く、且つ、それだけコスト安にもなるなど製造上の理由によるものである。
【００４１】
また、操作部２は、雪掬い部１に枢着されており、この枢着部６には操作部２の雪掬い部１に対する起き上がり角度を多段階に可変する角度可変機構Ｋが設けられている。
【００４２】
具体的には、図１，２に図示したように操作部２（縦部材２Ｂ，２Ｃ）の先端部が雪掬い部１（補強縦体12）の基端部に設けられる連結部材14に枢着されており、操作部２は雪掬い部１に対し、操作部２に係る縦部材２Ｂ，２Ｃと雪掬い部１に係る補強縦体12とが略同一直線状となる状態（図６の状態）から操作部２が雪掬い部１に重合する状態（図７の状態）までの約１８０°の角度範囲で擺動するように構成されている。
【００４３】
また、この角度可変機構Ｋには、操作部２の雪掬い部１に対する起き上がり角度を所定の角度に固定する固定機構７が設けられている。
【００４４】
この固定機構７は、一端部が操作部２に設けられ、他端部が雪掬い部１に設けられた架設体15で構成されており、この架設体15の一方の端部は雪掬い部１と着脱ピン９により連設され、架設体15にはこの着脱ピン９が係止されて操作部２の雪掬い部１に対する起き上がり角度を固定する係止部10が複数並設されている。
【００４５】
また、架設体15には、着脱ピン９がガイドされて移動し、操作部２が雪掬い部１に重合するまで起き上がり擺動することを許容する長窓８が設けられている。
【００４６】
具体的には、図２に図示したように操作部２に係る縦部材２Ｂ，２Ｃには金属板製の架設体15が枢着され、この架設体15の長さ方向に設けた長窓８に嵌挿状態でスライドする着脱ピン９を雪掬い部１に係る補強縦体12に設けており、この長窓８の先端側には凹状の係止部10が三箇所設けられている。
【００４７】
着脱ピン９は、図２に図示したように補強縦体12に設けた雌螺子部９ｂと該雌螺子部９ｂに螺着する雄螺子部９ａとで構成されており、操作部２が雪掬い部１に対して擺動する際、雄螺子部９ａは長窓８をスライドすることになり、また、雄螺子部９ａを長窓８の係止部10に嵌合係止させた状態で雌螺子部９ｂに対して螺着することで、着脱ピン９は架設体15に対して挟持状態で固定されることになる。
【００４８】
従って、着脱ピン９は雄螺子部９ａを緩めることで係止部10への係止は解除でき他の係止部10への移動が可能となり、図４〜６に図示したように着脱ピン９における係止する係止部10を可変することで操作部２の雪掬い部１に対する起き上がり角度を可変することができる。
【００４９】
また、角度可変機構Ｋは、図７に図示したように着脱ピン９を長窓８の基端側まで移動させることで雪掬い部１に重合状態となる操作部２を擺動させることができる。
【００５０】
本実施例は上述のように構成したから、前述した従来例と異なり、使用者は常に楽な姿勢（例えば押し込み操作し易い姿勢で操作部２を腹部に当てた安定した状態）で作業が行えることになり、使用者の負担が少なく極めて作業性に秀れることになるなど、一台で様々な使用者の身長に合った作業し易い状態が確実に得られることになる。
【００５１】
また、本実施例は、前述した使用者の身体に合わせた角度調節の他、作業場所に合わせた角度調節も行えることになり、即ち、例えば傾斜する屋根上での作業などのように、地面上の除雪と異なり、雪掬い部１に対する操作部２の起き上がり角度が大きい方が作業し易い場面もあり、この点、本発明は、雪掬い部１に対する操作部２の起き上がり角度を可変し得る角度可変機構Ｋを具備する為、作業場所に合った作業し易い状態が確実に得られることになる。
【００５２】
また、本実施例は、操作部２は、雪掬い部１に枢着されており、この枢着部６には操作部２の雪掬い部１に対する起き上がり角度を多段階に可変する角度可変機構Ｋが設けられているから、この角度可変機構Ｋにより様々な高さ位置の操作部２が簡易且つ確実に得られることになる。
【００５３】
また、本実施例は、角度可変機構Ｋには、操作部２の雪掬い部１に対する起き上がり角度を所定の角度に固定する固定機構７が設けられているから、確実に任意の起き上がり角度を維持することができる。
【００５４】
また、本実施例は、架設体15のいずれか一方の端部は雪掬い部１と着脱ピン９により連設され、架設体15にはこの着脱ピン９が係止されて操作部２の雪掬い部１に対する起き上がり角度を固定する係止部10が複数並設されているから、作業中に不意に操作部２と雪掬い部１との所定の起き上がり角度が崩れたりすることはなく、作業性良好にして安全なものとなる。
【００５５】
また、本実施例は、角度可変機構Ｋは、操作部２が雪掬い部１に重合するまで擺動するように構成されたものであり、よって、操作部２を雪掬い部１に適宜重合させてコンパクトにすることができ収納時や搬送時などに非常に便利であり、更に、角度可変機構Ｋは、操作部２に係る縦部材２Ｂ，２Ｃと雪掬い部１に係る補強縦体12とが略同一直線状となる状態となるまで擺動するように構成されているから、例えば不使用時に立て掛けておく場合など場所をとらず、しかも、他の手動式除雪具Ｄとのスタッキング性が極めて向上することになる。
【００５６】
尚、本発明は、本実施例に限られるものではなく、各構成要件の具体的構成は適宜設計し得るものである。
【図面の簡単な説明】
【００５７】
【図１】本実施例を示す斜視図である。
【図２】本実施例に係る要部の分解斜視図である。
【図３】本実施例に係る要部の斜視図である。
【図４】本実施例に係る要部の動作説明図である。
【図５】本実施例に係る要部の動作説明図である。
【図６】本実施例に係る要部の動作説明図である。
【図７】本実施例に係る要部の動作説明図である。
【符号の説明】
【００５８】
Ｋ  角度可変機構
１  雪掬い部
２  操作部
２Ａ  横部材
２Ｂ  縦部材
２Ｃ  縦部材
６  枢着部
７  固定機構
８  長窓
９  着脱ピン
10  係止部
15  架設体
【図１】
2008184786.tif 000003
【図２】
2008184786.tif 000004
【図３】
2008184786.tif 000005
【図４】
2008184786.tif 000006
【図５】
2008184786.tif 000007
【図６】
2008184786.tif 000008
【図７】
2008184786.tif 000009